(57)【特許請求の範囲】
【請求項１】
１枚の記録用紙に印刷する印刷情報として、前記記録用紙の表裏面に各２ページ、かつ中綴じするための小冊子指定情報を受け付ける受付手段と、
前記受付手段で受け付けた小冊子指定情報が前記記録用紙の印刷面を指定する印刷面情報が両面印刷の場合には、小冊子生成後にページ順となるように、各記録用紙の表裏面に２ページずつページ割り付け処理を行う小冊子ページ割付処理手段と、
前記受付手段で受け付けた小冊子指定情報が前記記録用紙の印刷面を指定する印刷面情報が片面印刷の場合には、各記録用紙の片面毎の左右の画像が小冊子生成後の見開き画像と同一となるように、各記録用紙の少なくとも１面に２ページずつページ割り付け処理を行う試しページ割付処理手段と、
を有するページ割付制御装置。
【請求項２】
前記試しページ割付処理手段が、前記各記録用紙の片面に２ページずつページ割付処理を行う請求項１記載のページ割付制御装置。
【請求項３】
前記受付手段で受け付ける小冊子指定情報の印刷ページの総数が奇数の場合には、前記小冊子生成時における最初ページ、或いは最終ページの何れか一方を、前記小冊子の作成形態に基づいて、前記記録用紙の片面のみに印刷する請求項１又は請求項２記載のページ割付制御装置。
【請求項４】
前記請求項１〜請求項３の何れか１項記載のページ割付制御装置と、
前記受付手段で受け付けた小冊子指定情報に基づいて、並びに小冊子ページ割付処理手段又は試しページ割付処理手段の何れか一方で処理したページ割り付けに従い、印刷を実行する印刷実行指示手段と、
前記印刷実行指示手段で指示された印刷指示に基づき、記録用紙に画像を形成する画像形成手段と、
を有する画像処理装置。
【請求項５】
前記印刷実行指示手段が、前記試しページ割付処理手段によるページ割り付けがなされた場合に、前記画像形成手段で画像形成する前に、試し印刷である旨を事前報知する報知手段をさらに有する請求項４記載の画像処理装置。
【請求項６】
コンピュータを、請求項１〜請求項３の何れか１項記載のページ割付制御装置として機能させるためのページ割付制御プログラム。
【発明の詳細な説明】
【技術分野】
【０００１】
本発明は、ページ割付制御装置、画像処理装置、ページ割付制御プログラムに関する。
【背景技術】
【０００２】
中綴じ小冊子印刷は、両面印刷で記録用紙の各面に２ページ分の画像を割り付けて印刷するものであり、印刷した記録用紙を重ねた状態で２ページを割り付けた間（記録用紙の中央）を閉じ具で綴じ、かつ所謂谷折りを施すことで小冊子が作成される。小冊子を作成する際、片面印刷して、画像を確認する場合がある。
【０００３】
特許文献１には、試し印刷をしてから本番印刷を行うことが記載されている。
【０００４】
特許文献２には、試し印刷のときに縮小印刷をすることが記載されている。
【０００５】
特許文献３には、両面印刷設定の試し印刷時、めくった（見開いた）形の画像で印刷することが記載されている。
【先行技術文献】
【特許文献】
【０００６】
【特許文献１】特開平１１−１５４０７１号公報
【特許文献２】特開２００１−２４６８２０公報
【特許文献１】特開２００７−２９０１３５公報
【発明の概要】
【発明が解決しようとする課題】
【０００７】
本発明は、特別な指定によらず、小冊子印刷の前の試し印刷において、当該小冊子として見開いた状態を確認することができるページ割付制御装置、画像処理装置、ページ割付制御プログラムを得ることが目的である。
【課題を解決するための手段】
【０００８】
請求項１に記載の発明は、１枚の記録用紙に印刷する印刷情報として、前記記録用紙の表裏面に各２ページ、かつ中綴じするための小冊子指定情報を受け付ける受付手段と、前記受付手段で受け付けた小冊子指定情報が前記記録用紙の印刷面を指定する印刷面情報が両面印刷の場合には、小冊子生成後にページ順となるように、各記録用紙の表裏面に２ページずつページ割り付け処理を行う小冊子ページ割付処理手段と、前記受付手段で受け付けた小冊子指定情報が前記記録用紙の印刷面を指定する印刷面情報が片面印刷の場合には、各記録用紙の片面毎の左右の画像が小冊子生成後の見開き画像と同一となるように、各記録用紙の少なくとも１面に２ページずつページ割り付け処理を行う試しページ割付処理手段と、を有している。
【０００９】
請求項２に記載の発明は、前記請求項１に記載の発明において、前記試しページ割付処理手段が、前記各記録用紙の片面に２ページずつページ割付処理を行う。
【００１０】
請求項３に記載の発明は、前記請求項１又は請求項２に記載の発明において、前記受付手段で受け付ける小冊子指定情報の印刷ページの総数が奇数の場合には、前記小冊子生成時における最初ページ、或いは最終ページの何れか一方を、前記小冊子の作成形態に基づいて、前記記録用紙の片面のみに印刷する。
【００１１】
請求項４に記載の発明は、前記請求項１〜請求項３の何れか１項記載のページ割付制御装置と、前記受付手段で受け付けた小冊子指定情報に基づいて、並びに小冊子ページ割付処理手段又は試しページ割付処理手段の何れか一方で処理したページ割り付けに従い、印刷を実行する印刷実行指示手段と、前記印刷実行指示手段で指示された印刷指示に基づき、記録用紙に画像を形成する画像形成手段と、を有している。
【００１２】
請求項５に記載の発明は、前記請求項４に記載の発明において、前記印刷実行指示手段が、前記試しページ割付処理手段によるページ割り付けがなされた場合に、前記画像形成手段で画像形成する前に、試し印刷である旨を事前報知する報知手段をさらに有する。
【００１３】
請求項６に記載の発明は、コンピュータを、請求項１〜請求項３の何れか１項記載のページ割付制御装置として機能させるためのページ割付制御プログラムである。
【発明の効果】
【００１４】
請求項１記載の発明によれば、特別な指定によらず、小冊子印刷の前の試し印刷において、当該小冊子として見開いた状態を確認することができる。
【００１５】
請求項２記載の発明によれば、「めくる」動作が不要なページの割り付けをすることができる。
【００１６】
請求項３記載の発明によれば、本構成を有しない場合に比べ、小冊子の作成ページの総数に基づいて、適正なページの割り付けを行なうことができる。
【００１７】
請求項４記載の発明によれば、特別な指定によらず、小冊子印刷の前の試し印刷において、当該小冊子として見開いた状態を確認することができる。
【００１８】
請求項５記載の発明によれば、試し印刷を実行する前に、確認をとることができる。
【００１９】
請求項６に記載の発明によれば、特別な指定によらず、小冊子印刷の前の試し印刷において、当該小冊子として見開いた状態を確認することができる。
【図面の簡単な説明】
【００２０】
【図１】本実施の形態に係る画像処理装置の概略構成図である。
【図２】本実施の形態に係る画像処理装置の制御系を示すブロック図である。
【図３】画像データを送出するＰＣのモニタに表示されるプリンタドライバ画面の正面図である。
【図４】通常の小冊子印刷のときの、ページ割付状態を示す記録用紙の正面図である。
【図５】小冊子指定の試し印刷のときの、ページ割付状態を示す記録用紙の正面図である。
【図６】受け付けた画像データ及び印刷情報に基づき、ページ割付を含む画像処理のための制御を実行する機能ブロックである。
【図７】本実施の形態に係る印刷前画像処理制御のためのメインルーチンを示すフローチャートである。
【図８】通常の小冊子用ページ割付処理サブルーチンを示すフローチャートである。
【図９】小冊子試し印刷用ページ割付処理サブルーチンを示すフローチャートである。
【図１０】変形例に係る画像処理装置（基幹印刷装置）の概略構成図である。
【発明を実施するための形態】
【００２１】
図１に示される如く、画像処理装置１００は、主として画像読取装置１０２（ＩＩＴ）と画像形成装置１０４（ＩＯＴ）が設けられ、所謂複合機を構成している。
【００２２】
画像読取装置１０２では、原稿台に原稿を載置し、蓋体１０６（Ｃ．Ｂ．（ＤＡＤＦ））によって原稿を挟持した状態で、スキャナユニットを動作させることで、所謂ライン走査によって原稿画像を読取り、画像データを得るようになっている。
【００２３】
なお、蓋体１０６には、自動用原稿送り装置１０８（ＤＡＤＦ）が取り付けられており、この自動用原稿送り装置のトレイ１０８Ａに原稿をセットし、スキャン指示操作をすることで、トレイ１０８Ａ上の原稿が１枚ずつ原稿台へと送られ、自動的に複数枚の原稿を読み取ることができる。
【００２４】
画像処理装置１００ではコピーモードを備えており、このコピー指示操作があった場合には、前記画像読取装置１０２で読み取った画像データに基づいて、画像形成装置１０４が作動し、画像形成装置１０４の下部に縦方向に４段に配列されたトレイ１１０（ＴＲＡＹ１〜４）の何れかから所定のサイズの記録用紙を搬送装置（ＦＥＥＤＥＲ）によって持ち出し、例えば電子写真方式による画像形成処理を施すことで、記録用紙に画像を形成する。なお、この記録媒体の搬送中に例えば紙詰まり等が発生した場合は、搬送装置近傍の開閉カバー（Ｃｖｒ  ＬＨ）を開放することで、紙の取り出し等が容易に行えるようになっている。
【００２５】
電子写真方式とは、感光体ドラムを回転しながら、帯電装置（ＩＢＴ）当該感光体ドラム上に画像データに基づいて走査される光ビームを照射することで静電潜像を形成し、この静電潜像に対して現像装置（Ｄｅｖｅ）において、トナーカートリッジ（Ｔｏｎｅｒ  Ｃｔｇ．）から送られてくる現像剤（トナーとキャリアで生成される）を供給することでトナー現像するものである。なお、記録用紙は、感光体ドラムの転写部（ＢＴＲ）へ送られるようになっており、前記現像されたトナー現像は転写部で記録用紙へ転写される。
【００２６】
記録用紙は、その後、定着装置（Ｆｕｓｅｒ）において加熱・加圧処理することで転写された画像が記録用紙に定着し、排出装置（Ｅｘｉｔ）によって排出する。
【００２７】
また、画像形成装置１０４では、プリントモードを備えており、ネットワーク上のＰＣ（パーソナルコンピュータ）１３２から外部インターフェース１３４（図２参照）を介して入力される画像データに基づいて稼働し、前述と同様に画像形成処理動作を実行する。
【００２８】
なお、画像形成装置１０４には、記録用紙を両面プリント機構（Ｄｕｐ）、色合わせ等に用いるレジストレーション機構（Ｒｅｇ）、記録用紙を装置外部から挿入する手差し機構（ＭＳＩ）、記録用紙の排出時の表裏の向きを反転させる反転機構（ＩＮＶ）、排出される原稿をジョブ単位で幅方向にずらすオフセット機構（ＯＣＴ）等が備えられている。
【００２９】
なお、図１では、画像処理装置１００が筐体に覆われており、上記で説明した各部（主要部）が図示されていないが、楕円状の鎖線で囲んだ領域が大体の位置を示している。図１に示した各部の略号と、本来の名称との照合表を表１に示す。
【００３０】
【表１】
0005434659.tif 000002
【００３１】
図２には、前記画像処理装置１００における、画像読取制御、画像形成制御を主体とした制御ブロック図が示されている。
【００３２】
画像処理装置１００は、メインコントローラ１１２を備えている。メインコントローラ１１２は、ＣＰＵ１１４、ＲＡＭ１１６、ＲＯＭ１１８、ＵＩ１２０、外部Ｉ／Ｆ１２１がコントロールバスやデータバス等のバス１２２を介して互いに接続されている。
【００３３】
外部Ｉ／Ｆ１２１には、例えば、通信回線網１３４を介して、画像処理装置１００をプリントモードで動作させるためのプリンタドライバがインストールされたＰＣ１３２が接続されている。
【００３４】
また、バス１２２には、外部記録媒体Ｉ／Ｆ１２４が接続されている。この外部記録媒体Ｉ／Ｆ１２４には、記録メディア（ＥＥＰＲＯＭ）１２６が着脱可能である。
【００３５】
また、バス１２２には、ＩＯＴ  Ｉ／Ｆ１２８とＩＩＴ  Ｉ／Ｆ１３０が接続され、図示しないＩＯＴコントローラ及びＩＩＴコントローラと接続されている。
【００３６】
また、バス１２２には、図示は省略したが自動原稿送り装置１０８（図１参照）や後処理装置等を制御するためのコントローラと接続するインタフェースが設けられている。
【００３７】
図３は、ＰＣ１３２にインストールされて印刷指示の際にＰＣ１３２のモニタに表示されるプリンタドライバ画面１３６の一例である。
【００３８】
プリンタドライバ画面１３６には、「プリント部数」設定ウィンドウ１３６Ａ、「記録用紙サイズ」設定ウィンドウ１３６Ｂ、「両面／片面」設定ウィンドウ１３６Ｃ、「倍率」設定ウィンドウ１３６Ｄ、「まとめて１枚の面数」設定ウィンドウ１３６Ｅ、「カラー／白黒」設定ウィンドウ１３６Ｆ等が印刷情報設定用画面として表示されており、それぞれプルダウンメニュー画面として個々に指定可能に表示される。なお、表示形態はウィンドウ画面はプルダウンメニュー画面に限定されるものではない。
【００３９】
ところで、本実施の形態では、プリントモードとして、まとめて１枚の面数」設定ウィンドウ１３６Ｅのプルダウンメニュー画面の１つに「小冊子」を設定する項目がある。
【００４０】
「小冊子」は、通常は、両面印刷で記録用紙の各面に２ページ分の画像を割り付けて印刷するものであり、印刷した記録用紙を重ねた状態で２ページを割り付けた間（記録用紙の中央）を閉じ具で綴じ、かつ所謂谷折りを施すことで小冊子が作成される。
【００４１】
このとき、本実施の形態では、「小冊子」の設定がなされると、自動的に両面／片面が「両面印刷」、まとめて１枚の面数が「２面」に設定される（初期設定）。
【００４２】
一方、この初期設定の後、別途「両面／片面」設定ウィンドウ１３６Ｅでは、「両面印刷」又は「片面印刷」の設定が可能となっている（変則設定）。
【００４３】
初期設定では、図４に示される如く、ページ総数が８ページの場合、小冊子として中綴じされたときにページ順となるように、１枚目の記録用紙Ｓの裏面の左面に８ページ、右面に１ページを割り付け、１枚目の記録用紙Ｓの表面の左面に２ページ、右面に７ページを割り付ける。また、２枚目の記録用紙Ｓの裏面の左面に６ページ、右面に３ページを割り付け、２枚目の記録用紙Ｓの表面の左面に４ページ、右面に５ページを割り付ける。
【００４４】
これを一般化すると、ページ総数がＮ（Ｎは、４の倍数とする）の場合、小冊子として中綴じされたときにページ順となるように、記録用紙の枚数Ｓ（＝Ｎ／４）を設定し、１枚目の記録用紙Ｓの裏面の左面にＮページ、右面に１ページを印刷し、１枚目の記録用紙Ｓの表面の左面に２ページ、右面にＮ−１ページを印刷する。
【００４５】
Ｎが８以上の４の倍数の場合は、記録用紙の枚数Ｓをまず演算し（Ｓ＝Ｎ／４）このＳ枚分、裏面の左面と、表面の右面はそれぞれ１ページおきに減らしていき（−２ページ）、表面の左面と、裏面の右面はそれぞれ１ページおきに増やしていく（＋２ページ）。
【００４６】
これに対して、前記変則設定では、小冊子を印刷する前の試し印刷を目的としており、小冊子としての綴じ工程をしない状態で、例えば、印刷した記録用紙を机の上に並べて配置し、確認するものである。机の上で、記録用紙を裏返しする必要がなく、全体の画像を一覧することが可能である。
【００４７】
ところが、「片面印刷」が設定されているため、前記初期設定で「表面」と「裏面」とに区別していた画像記録面が、全て１面（表面）となり、このままでは、例えば８ページの画像が４枚の記録用紙に、画像がページがばらばらで印刷されることになる。
【００４８】
そこで、本実施の形態では、「小冊子」指定の後、「片面」設定がなされた場合、ユーザーに対して、特定の注意喚起（メッセージ表示等の報知）を行った後、許可（確認）を経て、小冊子（両面）とは異なるページ割り付けで印刷を実行するようにした。
【００４９】
この小冊子（片面）では、「おもて表紙」と「うら表紙」を除き、小冊子が作成されたときに見開いた左右のページが連続するようにページ割り付けが実行される。
【００５０】
すなわち、図５に示される如く、ページ総数が８ページの場合、１枚目の記録用紙Ｓの表面の左面に１ページ、右面に８ページを割り付け、その後、１枚毎にページが連続するように、２枚目の記録用紙Ｓの表面の左面に２ページ、右面に３ページを割り付ける。また、３枚目の記録用紙Ｓの表面の左面に４ページ、右面に５ページを割り付け、４枚目の記録用紙Ｓの表面の左面に６ページ、右面に７ページを割り付ける。
【００５１】
これを一般化すると、ページ総数がＮ（Ｎは、４の倍数とする）の場合、記録用紙の枚数Ｓ（＝Ｎ）を設定し、１枚目の記録用紙Ｓの表面の左面に１ページ、右面にＮページを割り付け、２枚目の記録用紙Ｓの表面の左面に２ページ、右面に３ページを割り付け、以後、Ｓ枚目の表面の左面にＮ−２ページ、右面にＮ−１ページを割り付けるまで繰り返す。
【００５２】
図６は、ＣＰＵ１１４（図２参照）における印刷指示に基づく画像処理制御を機能的に示したブロック図である。
【００５３】
ＰＣ１３２のプリンタドライバで設定した印刷情報は、画像データと共に、情報受付部１５０で受け付けられる。情報受付部１５０は、印刷情報解析部１５２及び画像データ編集部１５４に接続されている。
【００５４】
情報受付部１５０では、印刷情報と画像データとを分離し、印刷情報は、印刷情報解析部１５２へ送出される。また、画像データは、画像データ編集部１５４へ送出される。
【００５５】
印刷情報解析部１５２では、図３に示す、「プリント部数」設定ウィンドウ１３６Ａ、「記録用紙サイズ」設定ウィンドウ１３６Ｂ、「両面／片面」設定ウィンドウ１３６Ｃ、「倍率」設定ウィンドウ１３６Ｄ、「まとめて１枚の面数」設定ウィンドウ１３６Ｅ、「カラー／白黒」設定ウィンドウ１３６Ｆでの設定情報がそれぞれ解析される。
【００５６】
印刷情報解析結果は、基本的には、画像データ編集部１５４へ送出される。画像データ編集部１５４では、画像データを、印刷情報の解析結果に基づいて面付けしたり、印刷部数を決定して、画像データ出力部１５６へ送出する。
【００５７】
画像データ出力部１５６では、例えば、画像の補正（ガンマ補正、シャープネス補正、色補正、並びにＲＩＰ（ラスターイメージプロセッサ）処理がなされ、ＩＯＴへ送出される。
【００５８】
ここで、印刷情報解析部１５２において、「まとめて１枚の面数」設定ウィンドウ１３６Ｅに設けられている「小冊子」が指示された場合、印刷情報解析部１５２からは、小冊子指定信号と共に、印刷情報の内、「両面／片面」設定ウィンドウ１３６Ｃで設定され情報が印刷面判定部１５８へ送出されるようになっている。
【００５９】
この小冊子指定信号の入力で、前記印刷面判定部１５８は起動し、同時に受け付け「両面／片面」設定ウィンドウ１３６Ｃでの設定情報を判定する。
【００６０】
印刷面判定部１５８には、小冊子ページ割付処理部１６０、試しページ割付処理部１６２及び表示制御部１６４が接続されている。
【００６１】
印刷面判定部１５８において、「両面」と判定した場合には、小冊子ページ割付処理部１６０に対して起動信号を送出する。この起動信号を受けて、小冊子ページ割付処理部１６０では、通常の小冊子を作成するときのページ割付処理（図４参照）が実行され、割り付けページ情報は、前記画像データ編集部１５４へ送出される。
【００６２】
一方、印刷面判定部１５８において、「片面」と判定した場合には、試しページ割付処理部１６２及び表示制御部１６４に対して起動信号を送出する。
【００６３】
表示制御部１６４では、ＵＩ１２０のモニタ部を制御して、『小冊子印刷の前に片面で、試し印刷を実行しますか？Ｙ→１／Ｎ→０』といったメッセージを表示する。なお、ＰＣ１３２が遠隔の場合は、ＰＣ１３２へ同様のメッセージ内容を通知して、ＰＣ１３２のモニタに表示させればよい。
【００６４】
このＵＩ１２０の操作部は前記試し割付処理部１６２に接続されている。このため、操作部において、前記メッセージに基づく回答操作（Ｙ→１／Ｎ→０）が試し割付処理部１６２へ入力されることになる。回答操作における「１」の入力をＨ信号、「０」の入力をＬ信号とする。なお、ＰＣ１３２からも回答操作は可能である。
【００６５】
試し割付処理部１６２では、前記印刷面判定部１５８からの起動信号（Ｈ信号）とＵＩ１２０又はＰＣ１３２からの回答操作信号（Ｈ信号／Ｌ信号）の論理積（ＡＮＤ）をとるようになっており、共にＨ信号のとき、小冊子を試し印刷のときのページ割付処理（図５参照）が実行され、割り付けページ情報は、前記画像データ編集部１５４へ送出される。
【００６６】
以下に本実施の形態の作用を図７〜図９のフローチャートに従い説明する。
【００６７】
図７はＣＰＵ１１４における、ＰＣ１３２（プリンタドライバ）からの印刷指示に基づく画像処理制御のメインルーチンである。
【００６８】
ステップ２００では、印刷指示があったか否かが判断され、否定判定された場合はこのルーチンは終了する。
【００６９】
また、ステップ２００で肯定判定されると、ステップ２０２へ移行して印刷緒情報を解析し、次いでステップ２０４へ移行して、解析の結果、小冊子印刷の指示か否かが判断される。
【００７０】
このステップ２０４で否定判定された場合は、特別なページ割り付けはない（ページ順がずれることがない）ので、ステップ２１２へ移行して、受け付けた印刷情報に基づいて、画像データの補正（ガンマ補正、シャープネス補正、色補正、並びにＲＩＰ（ラスターイメージプロセッサ）処理がなされ、次いでステップ２１４へ移行してＩＯＴへ送出される。
【００７１】
また、前記ステップ２０４で肯定判定、すなわち、小冊子印刷指定の場合には、ステップ２０４からステップ２０６へ移行する。
【００７２】
ステップ２０６では、「両面／片面」印刷の指定を判定し、「両面・小冊子」の場合はステップ２０８へ移行し、「片面／小冊子」の場合はステップ２１０へ移行し、それぞれ
ページ割付処理を実行した後、ステップ２１２へ移行する。
【００７３】
図８は、図７のステップ２０８における「両面、小冊子」、すなわち、通常の小冊子印刷時のページ割付処理ルーチンである。
【００７４】
ステップ２２０は、変数Ｊ（ページ）を１、変数Ｓ（枚数）を１に初期設定し、次いでステップ２２２で、総ページ数（Ｊの最大値）を変数Ｎに登録し、ステップ２２４へ移行する。
【００７５】
ステップ２２４では、総ページ数Ｎは偶数か否かが判断され、否定判定された場合は、ステップ２２６へ移行して、小冊子の最初（「おもて」表紙）を白紙にするか、小冊子の最後（「うら」表紙）を白紙にするかを選択する。なお、この選択は、何れかをデフォルト値としてもっていてもよいし、その都度、ＵＩ１２０等を用いて、ユーザーに選択させるようにしてもよい。
【００７６】
ステップ２２６で「おもて」表紙を白紙にすることを選択した場合は、ステップ２２８へ移行して、変数Ｊを０とし、ステップ２３２へ移行する。また、ステップ２２６で「うら」表紙を白紙にすることを選択した場合は、ステップ２３０へ移行して、変数Ｎをインクリメント（Ｎ←Ｎ＋１）してステップ２３２へ移行する。
【００７７】
ステップ２３２では、Ｎページ目をＳ枚目の裏面の左面に割り付け、次いでステップ２３４へ移行して、Ｊページ目をＳ枚目の裏面の右面に割り付け、ステップ２３６へ移行する。
【００７８】
ステップ２３６では、Ｊ＋１ページ目をＳ枚目の表面の左面に割り付け、次いでステップ２３８へ移行して、Ｎ−１ページ目をＳ枚目の表面の右面に割り付け、ステップ２４０へ移行する。これで、１枚分（４画面分）の割り付けが終了する。
【００７９】
ステップ２４０では、Ｊを＋２（Ｊ←Ｊ＋２）し、Ｎを＋２（Ｎ←Ｎ＋２）し、Ｓを＋１（Ｓ←Ｓ＋１）して、ステップ２４２へ移行する。
【００８０】
ステップ２４２では、現在の変数Ｊが、現在の変数Ｎを超えたか（Ｊ＞Ｎ）否かが判断され、否定判定された場合は、ステップ２３２へ戻り、上記工程を繰り返す。また、ステップ２４２で肯定判定されると、このルーチンは終了する。
【００８１】
図９は、図７のステップ２１０における「片面、小冊子」、すなわち、小冊子印刷の前の試し印刷時のページ割付処理ルーチンである。
【００８２】
ステップ２５０は、変数Ｊ（ページ）を１、変数Ｓ（枚数）を１に初期設定し、次いでステップ２５２で、総ページ数（Ｊの最大値）を変数Ｎに登録し、ステップ２５４へ移行する。
【００８３】
ステップ２５４では、総ページ数Ｎは偶数か否かが判断され、否定判定された場合は、ステップ２５６へ移行して、小冊子の最初（「おもて」表紙）を白紙にするか、小冊子の最後（「うら」表紙）を白紙にするかを選択する。なお、この選択は、何れかをデフォルト値としてもっていてもよいし、その都度、ＵＩ１２０等を用いて、ユーザーに選択させるようにしてもよい。
【００８４】
ステップ２５６で「おもて」表紙を白紙にすることを選択した場合は、ステップ２５８へ移行して、変数Ｊを０とし、ステップ２６２へ移行する。また、ステップ２５６で「うら」表紙を白紙にすることを選択した場合は、ステップ２６０へ移行して、変数Ｎをインクリメント（Ｎ←Ｎ＋１）してステップ２６２へ移行する。
【００８５】
ステップ２６２では、Ｊページ目をＳ枚目の表面の左面に割り付け、次いでステップ２６４へ移行して、Ｎページ目をＳ枚目の表面の右面に割り付ける。このＳ枚目（すなわち、１枚目は小冊子作成時の「おもて」表紙と「うら」表紙に相当するため、左右のページのつながりはない。
【００８６】
次のステップ２６６では、変数Ｊをイクリメント（Ｊ←Ｊ＋１）し、変数Ｓをインクリメント（Ｓ←Ｓ＋１）してステップ２６８へ移行する。
【００８７】
ステップ２６８では、変数Ｊが偶数か否かが判断され、否定判定（奇数判定）された場合は、ステップ２７０へ移行して、Ｊページ目をＳ枚目の表面の左面に割り付け、ステップ２７６へ移行する。また、ステップ２７０で肯定判定（偶数判定）された場合は、ステップ２７２へ移行して、Ｊページ目をＳ枚目の表面の右面に割り付け、ステップ２７４へ移行し、変数Ｓをインクリメントしてステップ２７６へ移行する。
【００８８】
ステップ２７６では、変数Ｊをインクリメントして、ステップ２７８へ移行する。
【００８９】
ステップ２７８では、変数Ｊが変数Ｎを超えたか（Ｊ＞Ｎ）否かが判断され、否定判定された場合は、ステップ２６８へ戻り、上記工程を繰り返す。また、ステップ２７８で肯定判定されると、このルーチンは終了する。
【００９０】
なお、本実施の形態では、記録用紙の１面（表面でも裏面でもよい）にのみ小冊子の試し印刷を行い、例えば、机に記録用紙を並べたとき、左右の画像のつながりを確認し、かつめくる動作を行わなくても、画像全体を一覧するようにしたが、記録用紙の削減のために、両面に印刷したり、２ページ割り付けを４ページや８ページ割付けに変更してもよい。
【００９１】
（変形例）
本実施の形態では、所謂オフィス設置型の複合機としての画像処理装置１００を例にとり説明したが、画像処理装置１００としては、大量印刷を目的とした業務用印刷装置も適用可能である。
【００９２】
図１０には、変形例に係る基幹業務用印刷装置１０が示されている。基幹業務用印刷装置１０は、大きく分類して、図１０の左側から画像形成部１２、用紙収容部１４、後処理部１６となっている。
【００９３】
画像形成部１２は、その筐体１８の上面に当該基幹業務用印刷装置１０の全体を制御する主制御部２０が設けられている。主制御部２０は、制御部本体２２と、キーボード２４と、ディスプレイ２６を備えている。
【００９４】
また、主制御部２０の図１０の右側（画像形成部１２の上面）には、矩形の開口部が設けられている。この開口部には、開閉蓋３２が取り付けられている。
【００９５】
画像形成部１２は筐体１８によって覆われており、前記主制御部２０からの画像データに応じて発光する光ビームを走査する光走査部と、光走査部によって走査された光ビームを受けて所謂静電潜像が形成される感光体ドラムと、感光体ドラム上の静電潜像へトナー等の現像剤を供給することで現像する現像部と、この現像によって顕像化された画像を記録用紙へ転写する転写部と、転写した記録用紙上の画像を定着させる定着部とを備えている。以下、上記一連の工程を、「画像形成処理全般」という。また、以下において、「画像形成処理」を、必要に応じて、「印刷」という。
【００９６】
上記画像形成部１２が収容された筐体１８の図１０の前面は、ほぼ全域に亘って開口されており、所謂観音開き型の一対の開閉扉３４が取り付けられている。
【００９７】
このため、画像形成部１２のメンテナンス時には、この一対の開閉扉３４を開放することで、筐体１８の全面とほぼ同一の面積のメンテナンス作業空間が設けられることになる。
【００９８】
この画像形成部１２の転写部へ送られる記録用紙５０は、前記開閉蓋３２の下部に設けられたトレイ３６、或いは用紙収容部１４に設けられた複数のトレイ３８から選択的に持ち出されるようになっている。すなわち、複数のトレイ３６、３８には、それぞれサイズの異なる記録用紙５０を収容可能（同一サイズの場合もある）となっており、主制御部２０からの指示に基づく、画像形成部１２からの指示で何れかのトレイ３６、３８が選択され、例えば、最上層の記録用紙５０から順番に持ち出すようになっている。
【００９９】
第１の実施の形態で適用される記録用紙５０は、例えば帳票用紙であり、予め所定の画像（記録用紙印刷イメージ）が施されている。
【０１００】
図１０に示される如く、用紙収容部１４の上部は、画像形成部１２によって印刷された記録用紙５０を搬送する搬送部４０となっている。すなわち、画像形成部１２で印刷された記録用紙５０は、後処理が必要な場合に、この搬送部４０を経て、後処理部１６へ搬送されるようになっている。なお、後処理が不要な記録用紙５０は、前記開閉蓋３２の下部に配置された排出トレイユニット４２へ排出されるようになっている。
【０１０１】
後処理部１６は、例えば、フィニッシャー部とも称され、製本、綴じ、穴あけ、折り等の加工、並びにジョブ単位、部数単位での仕分け処理を実行する。
【０１０２】
画像データは、指定された印刷ジョブ属性に基づいて、その天地方向が反転されたり、倍率が変更されたり、繰り返し使用される場合がある。
【０１０３】
本実施の形態では、ページ割付制御装置として複合機に実装される画像処理装置や業務用印刷装置を例にとり説明したが、画像処理装置としては、コンピュータなどの情報処理装置に実装されるものでも良い。
【符号の説明】
【０１０４】
１００    画像処理装置
１０２    画像読取装置
１０４    画像形成装置
１０６    蓋体
１０８    自動用原稿送り装置
１０８Ａ    トレイ
１１０    トレイ
１１２    メインコントローラ
１１４    ＣＰＵ
１１６    ＲＡＭ
１１８    ＲＯＭ
１２０    ＵＩ
１２１    外部Ｉ／Ｆ
１２２    バス
１３４    通信回線網
１３２    ＰＣ
１２６    記録メディア（ＥＥＰＲＯＭ）
１２８    ＩＯＴ  Ｉ／Ｆ
１３０    ＩＩＴ  Ｉ／Ｆ
１３６    プリンタドライバ画面
１３６Ａ    「プリント部数」設定ウィンドウ
１３６Ｂ    「記録用紙サイズ」設定ウィンドウ
１３６Ｃ    「両面／片面」設定ウィンドウ
１３６Ｄ    「倍率」設定ウィンドウ
１３６Ｅ    「まとめて１枚の面数」設定ウィンドウ
１３６Ｆ    「カラー／白黒」設定ウィンドウ
Ｓ    記録用紙
１５０    情報受付部
１５２    印刷情報解析部
１５４    画像データ編集部
１５６    画像データ出力部
１５８    印刷面判定部
１６０    小冊子ページ割付処理部
１６２    試しページ割付処理部
１６４    表示制御部
【図１】
0005434659.tif 000003
【図２】
0005434659.tif 000004
【図３】
0005434659.tif 000005
【図４】
0005434659.tif 000006
【図５】
0005434659.tif 000007
【図６】
0005434659.tif 000008
【図７】
0005434659.tif 000009
【図８】
0005434659.tif 000010
【図９】
0005434659.tif 000011
【図１０】
0005434659.tif 000012